【事件の表示】
　平成１１年特許願第３１５５４０号「画像読取装置」拒絶査定不服審判事件〔平成１３年　５月１８日出願公開、特開２００１−１３６３８３〕について、次のとおり審決する。
【結　論】
　本件審判の請求は、成り立たない。
【理　由】
１．手続の経緯
　本願は、平成１１年１１月５日の出願であって、平成１７年４月１日付けで拒絶査定がなされ、これに対し、同年５月６日に拒絶査定に対する審判請求がなされるとともに、同年６月６日付けで手続補正がなされたものである。
　
２．平成１７年６月６日付けの手続補正についての補正却下の決定
[補正却下の決定の結論]
　平成１７年６月６日付けの手続補正を却下する。
[理由]
（１）補正後の本願発明
　本件補正により、特許請求の範囲の請求項１は、
「静止した光学系に対して原稿を搬送しながら、画像を読取る画像読取装置において、
　光学系を介して、画像を複数の画素に分けて読取り、各画素を表す信号を順次導出する読取素子と、
　読取素子からの信号を増幅し、増幅利得およびオフセットがそれぞれ可変であるアンプ回路と、
　予め基準となる基準用白板
から読取素子が画素毎に読取る画像の信号をＡ／Ｄ変換した所定ビット数のデジタルデータで表す信号レベルのうち、読取素子の中央部の画素についての光源消灯時の信号レベルの平均値を、該ビット数のデジタルデータで表す最小値付近でかつ該最小値よりも所定の値だけ大きい第１の目標値とする該アンプ回路のオフセットの調整、および該読取素子の該中央部に含まれる中央部分の画素についての光源点灯時の信号レベルを、該所定ビット数のデジタルデータで表す最大値付近でかつ該最大値よりも所定の値だけ小さい第２の目標値とする該アンプ回路の増幅利得の調整を行った上で、
　シェーディング補正手段によって作成されるシェーディング補正データを記憶する補正データ記憶手段と、
　読取素子が原稿からの画像を読取る際に、原稿の画像領域外で、同時に読取り可能なように配置される領域外白板とを含み、
　シェーディング補正手段は、
　原稿の読取り
の前に、前記基準用白板に対し、前記第１の目標値でアンプ回路のオフセットを補正した後、前記第２の目標値でアンプ回路の増幅利得を補正しておき、
　
原稿の画像の読取を領域外白板からの画像の読取りとともに行い、領域外白板からの画像に対応する画素の信号レベルが予め設定される目標と一致するようにアンプ回路の増幅利得を補正してから、
　
読取素子で原稿の画像を読取ると、
　上記補正は、請求項１に記載した発明を特定するために必要な事項について限定を付加するものであって、平成１８年改正前特許法第１７条の２第４項第２号の特許請求の範囲の減縮を目的とするものに該当する。
　そこで、本件補正後の前記請求項１に記載された発明（以下、「本願補正発明」という）が特許出願の際独立して特許を受けることができるものであるか（平成１８年改正前特許法第１７条の２第５項において準用する同法第１２６条第５項の規定に適合するか）について以下に検討する。
　
（２）刊行物
ア　原審拒絶理由で引用された、本願の出願日前である平成８年１月１２日に頒布された「特開平８−９１１６号公報」（以下、「刊行物１」という）は、「画像読取装置」に関するものであって、その公報には次の事項が記載されている。
（ア）　「［搬送原稿読取モード］ 原稿挿入口１２から挿入された原稿４は、図示しない駆動源により原稿分離部１３を経て複数毎であれば１枚ずつに分離されて読取ローラ１４方向へと送られる。読取ローラ１４はピンチローラ１４ａおよび１４ｂとの圧接力によって原稿を送って原稿排出口１５へと給送する。読取ローラ１４に対向して設けられた原稿読取面１７の読取ローラ１４に対向する面は原稿台ガラス３と同一平面上にありガラスの厚さは等しくされている。また、読取ローラ１４と原稿読取面１７との間には原稿を送れるだけのわずかなギャップが設けられている。搬送原稿を読み取る際は、走査光学系１が位置Ｃまで移動してその位置に停止し、上記搬送系２によって搬送されてきた原稿を読み取る。」（２頁段落【０００８】）
（イ）　「図１および図２を用いて本発明に係る積載原稿読取および搬送原稿読取兼用型の画像読取装置の構成を説明する。本発明の画像読取装置の主要部は、原稿４を走査して読み取る原稿読取光学系１と、シート原稿を原稿読取位置へ供する原稿自動給紙装置２と、例えば書籍などの原稿を載置する原稿台ガラス３から構成されている。さらに、本発明の画像読取装置は、載置原稿読取用白基準板１８と搬送原稿読取用白基準パッチ３０を備えたことを特徴とする。
原稿読取光学系１は、原稿を照射する露光ランプ５と反射ミラー６と結像レンズ７とから構成される。画像信号処理系は、光電変換素子８とアンプ９とＡ／Ｄ変換器１０とシェーディング補正回路２０とシェーディング波形が記憶されるシェーディング波形記憶用メモリ２１と画像処理部２２と補正信号が記憶される補正用メモリ２３と画像をハードコピーの形で再現する画像形成部２４と画像信号処理系の動作を計るＣＰＵ２５などから構成される。露光ランプ５と反射ミラー６は、図示しない駆動源により原稿台ガラス３に平行に位置Ａおよび位置Ｂ間を移動可能に構成されており、載置原稿４を光学走査する。さらに、露光ランプ５と反射ミラー６は、図示しない駆動源により位置Ｃへも移動可能に構成されている。
原稿自動給紙装置２は、原稿トレー１１と原稿挿入口１２と原稿分離部１３と原稿搬送用のピンチローラ１４ａ，１４ｂと読取ローラ１４と原稿排出口１５と排出原稿トレー１６とから構成される。原稿自動給紙装置２において、先端部が原稿挿入口１２に挿入されて原稿トレー１１上に載置されたシート状原稿４は、原稿分離部１３のローラによって１枚づつ繰り出され、互いに逆方向に回転するピンチローラ１４ａ／ｂに挟持されて搬送原稿読取面１７の上部にギャップを有して設けられた読取ローラ１４へ供給された後排出原稿トレー１６へ排出される。
図２に示すように、載置原稿読取用白基準板１８は、従来の白基準板とほぼ同様の構成であるが、原稿の最大読取幅の外側にまで延びている点で従来のものと相違している。また、搬送原稿読取用白基準パッチ３０は、搬送原稿読取位置Ｃに設けられるとともに最大原稿読取幅の外側に設置されている点に特徴がある。
（中略）
［搬送原稿読取モード］ 積載原稿読取モード用白基準板１８が位置Ａにある場合と搬送原稿読取位置Ｃにあると仮定した場合に、原稿読取幅および光源を点灯してからの経過時間が同一条件下では当該白基準板を読み取った両出力は一致している。したがって、搬送原稿読取位置Ｃ内の一部分に白基準板１８と同質の白基準パッチ３０があれば、任意の点灯時間経過後に白基準パッチ３０を読み取ったデータと白基準板１８内の同位置での読取データを用いて、点灯時間経過に基づくシェーディング波形の変化の比率、すなわち補正率を求めることができる。」（３頁段落【００１７】ないし４頁段落【００２３】、第１、２図）
（ウ）　「図４を用いて、シェーディング補正回路２０の動作を説明する。シェーディング補正回路２０は、シェーディング波形記憶用メモリ２１から読み出されたシェーディング波形データに所定の係数を乗算させる乗算回路２０１と、該係数を設定するレジスタ２０２と、原稿を読み取った画像データと乗算回路２０１からの画像データを用いてシェーディング補正計算を行うシェーディング補正計算部２０３等から構成される。
（中略）
［搬送原稿読取モード時のシェーディング補正］ 走査光学系１は、位置Ａで積載原稿読取白基準板１８を読み取って、補正用読取範囲１８−１を含む１ライン分のシェーディング波形データをシェーディング波形記憶用メモリ２１に記憶する。次いで、走査光学系１は、搬送原稿読取位置Ｃに移動し、原稿自動給装置２によって原稿４が搬送原稿読取位置Ｃへ搬送される直前に同位置において搬送原稿読取用白基準パッチ３０を読み取りその読取データ（白基準パッチ読取データ）を補正用メモリ２３に記憶する。ＣＰＵ２５は補正用メモリ２３をアクセスし、白基準パッチ読取データから平均値Ｘ１を算出する。次にＣＰＵ２５は、シェーディング波形記憶用メモリ２１内に記憶された前記白基準パッチ３０の位置（補正用範囲）に対応するアドレスの画像データを用いて同じく平均値Ｘ２を算出し、Ｘ１／Ｘ２から出力比ｒを求め、比率ｒを係数設定レジスタ２０２に設定する。
搬送原稿読取時、シェーディング波形記憶用メモリ２１から読み出されたシェーディング波形データは、乗算回路２０１を経由してシェーディング補正計算部２０３に送られるが、係数設定レジスタ２０２には前記比率ｒが設定されており、シェーディング波形データはｒ倍されてシェーディング補正計算部２０３へ送られる。この比率ｒは前述したように１ページ毎に更新される。補正計算式は積載原稿読取モード時と同様である。
以上、この実施例では、搬送原稿読取用白基準パッチ３０を搬送原稿読取位置Ｃの原稿読取領域外に設けた場合で説明したが、白基準を従来の項で説明した読取ローラ１４を白色にするとともにその長さを前記白基準パッチ３０の範囲にまで伸ばしたしたものを使用しても本発明を実施することができる。この場合、前記実施例と同様に原稿自動給紙装置により原稿が搬送される毎に白基準板１８と読取ローラ１４の白基準パッチ位置の読取データから出力比率ｒを求め、比率ｒを係数設定レジスタ２０２に設定すればよい。」（５頁段落【００３０】ないし【００３４】）
　
イ　本願の出願日前である平成７年６月１６日に頒布された「特開平７−１５４５９７号公報」（以下、「刊行物２」という）は、「画像読み取り装置の画像データ調整方法」に関するものであって、その公報には次の事項が記載されている。
（ア）「ＣＣＤラインセンサの光電変換特性は、図４（ａ）に示すように各チャンネルの白色基準板の読み取り信号レベルを「白色」、無入光による暗時出力の信号レベルを「黒色」とすると、各チャンネル間に、また各画素間に図示のようなレベル差が生じる。
このようにＣＣＤラインセンサでは、原稿読み取り信号において、チップ間のバラツキ、チップ内の画素間のバラツキ等、特性上のバラツキが発生する。
そこで、ゲイン調整回路を設けて、各チャンネルの白色信号の最大値を最大基準値に揃えると共に、オフセット調整回路を設けて、黒色信号の最小値を最小基準値に揃えるようにしている。」（３頁段落【０００５】ないし【０００７】、第４図）
（イ）「シェーディング補正は、画素ずれ補正後の画像入力データから基準データとしてラインメモリ１７，１９に書き込まれた画像データを減算して出力する処理であり、光源の配光特性や光源の経年変化によるバラツキ、反射鏡等の汚れ等に起因する光学系のバラツキ、イメージセンサ１ａ〜１ｅの各ビット間の感度のバラツキを補正する。ダークシェーディング補正回路１６は、対数変換回路１４の前段に接続されてダークレベル（光源を消灯したときの暗時出力）に対する補正を行い、ホワイトシェーディング補正回路１５は、対数変換回路１４の後段に接続されて白色基準板の読み取り出力に対する補正を行っている。したがって、基準データとしては、暗時出力データと白色基準板の読み取りデータがそれぞれのラインメモリ１７，１９に書き込まれる。
イメージセンサ１ａ〜１ｅで読み取った信号レベルは、光源から原稿に光を照射しその反射信号を読み取っているため、反射率に対応し白くなるほど高くなる。したがって、例えばＡ／Ｄ変換器８における入力レンジが０〜２．５Ｖに対し１バイト８ビットの０〜２５５に変換される場合には、白色基準板を読み取った信号レベルを２．５Ｖに近い値とすることにより原稿の読み取り精度を上げることができる。そこで、白色基準板を読み取った信号レベルを２．０Ｖ程度になるようにゲインを調整し、これを２５６等分してデジタル信号に変換するようにしているが、光源の光量が使用とともに低下してくると、同じ白色基準板を読み取った信号でも徐々にレベルが低下し、１ビットあたりの分解能が落ちてくることになる。白色基準板の反射率は概ね８０％程度であるので、この読み取り信号レベルをもっとあげて例えば２５６階調で「２３０」とすると、原稿の明るい白で飽和してしまうという問題がある。
前記ゲイン調整回路６によるゲイン調整は、このような場合にも安定した分解能が得られるようにするものであり、白色基準板を読み取った時の信号レベルを例えば２５６階調の「２００」にした場合には、常にこの値に維持されるようにゲインを調整し、センサ感度のバラツキのあるチップにおいて最適なゲインを設定するものである。
また、光源を消灯した状態においてイメージセンサ１ａ〜１ｅから出力される信号レベル（暗時出力レベルすなわちダークレベル）は、そのセンサ出力の最低値を示す。このダークレベルは、１チップ内でも平坦ではなく種々のカーブを描き、またチップ間でも最低レベルが異なっている。そこで、直流的なバイアスをかけてこのダークレベルの最低値を一定の値まで持ち上げて最低値を保証するのが前記オフセット調整回路７である。
ゲイン調整では、まず白色基準板の読み取りデータを、例えばホワイトシェーディング補正部１５のラインメモリ１９に書き込む。その後にＣＰＵ１２はこのラインメモリ１９から所定の画素間隔で読み取りデータをサンプリングし、各チップ毎に最大値を求める。そして、この最大値が所定の出力、例えば２５６階調で「２００」になるようなゲインをゲイン調整回路６で設定する。またオフセット調整では、同様に暗時出力をホワイトシェーディング補正部１５のラインメモリ１９に書き込んだ後、ＣＰＵ１２がこのラインメモリ１９から所定の画素間隔で読み取りデータをサンプリングし、各チップ毎に最小値を求める。そしてこの最小値が所定の出力、例えば２５６階調で「１０」になるようなオフセット値を設定する。」（３頁段落【００３１】ないし【００３６】、第１図）
　　
（３）対比・判断
ア　本願補正発明と刊行物１に記載された発明（以下、「刊行物発明」という）との対比
　本願補正発明と刊行物発明を対比すると、
（ア）上記２（２）ア（ア）ないし（ウ）によれば、本願補正発明と刊行物発明とは、「静止した光学系に対して原稿を搬送しながら、画像を読取る画像読取装置」である点で一致している。
　上記２（２）ア（イ）によれば、刊行物発明は、原稿読取光学系として、原稿を照射する露光ランプ５と反射ミラー６と結像レンズ７とを有し、画像信号処理系として、光電変換素子８とアンプ９を有しており、光電変換素子８が「画像を複数の画素に分けて読取り、各画素を表す信号を順次導出する」ことは自明といえるので、本願補正発明と刊行物発明とは、「光学系を介して、画像を複数の画素に分けて読取り、各画素を表す信号を順次導出する読取素子と、読取素子からの信号を増幅するアンプ回路」を含む点で一致している。もっとも、アンプ回路が「増幅利得およびオフセットがそれぞれ可変である」かは明らかでない。
　上記２（２）ア（ウ）によれば、刊行物発明は、走査光学系１が、位置Ａで積載原稿読取白基準板１８を読み取って、補正用読取範囲１８−１を含む１ライン分のシェーディング波形データをシェーディング波形記憶用メモリ２１に記憶するものであり、搬送原稿読取位置Ｃに移動し、原稿自動給装置２によって原稿４が搬送原稿読取位置Ｃへ搬送される直前に同位置において搬送原稿読取用白基準パッチ３０を読み取りその読取データ（白基準パッチ読取データ）を補正用メモリ２３に記憶するものであるから、本願発明でいう、「シェーディング補正手段によって作成されるシェーディング補正データを記憶する補正データ記憶手段」に相当するものの存在が認められ、搬送原稿読取用白基準パッチ３０を搬送原稿読取位置Ｃの原稿読取領域外に設けたものであるから、本願発明でいう「読取素子が原稿からの画像を読取る際に、原稿の画像領域外で、同時に読取り可能なように配置される領域外白板」に相当するものの存在が認められ、ＣＰＵ２５が補正用メモリ２３をアクセスし、白基準パッチ読取データから平均値Ｘ１を算出し、シェーディング波形記憶用メモリ２１内に記憶された前記白基準パッチ３０の位置（補正用範囲）に対応するアドレスの画像データを用いて同じく平均値Ｘ２を算出し、Ｘ１／Ｘ２から出力比ｒを求め、比率ｒを係数設定レジスタ２０２に設定し、搬送原稿読取時、シェーディング波形記憶用メモリ２１から読み出されたシェーディング波形データは、ｒ倍されてシェーディング補正計算部２０３へ送られるのであるから、本願発明でいう「予め基準となる基準用白板から画素間の信号レベルの差異に基づき、該差異を解消させるシェーディング補正データを作成するシェーディング補正手段」に相当するものの存在及び「シェーディング補正手段は、補正データ記憶手段に記憶されているシェーディング補正データを用いて、画素間の信号レベルを補正する」点に相当するものの存在が認められるので、結局、本願補正発明と刊行物発明とは、「予め基準となる基準用白板から画素間の信号レベルの差異に基づき、該差異を解消させるシェーディング補正データを作成するシェーディング補正手段と、シェーディング補正手段によって作成されるシェーディング補正データを記憶する補正データ記憶手段と、読取素子が原稿からの画像を読取る際に、原稿の画像領域外で、同時に読取り可能なように配置される領域外白板とを含み、シェーディング補正手段は、補正データ記憶手段に記憶されているシェーディング補正データを用いて、画素間の信号レベルを補正する」点で一致している。
（イ）したがって、両者は
「静止した光学系に対して原稿を搬送しながら、画像を読取る画像読取装置において、光学系を介して、画像を複数の画素に分けて読取り、各画素を表す信号を順次導出する読取素子と、読取素子からの信号を増幅するアンプ回路と、予め基準となる基準用白板から画素間の信号レベルの差異に基づき、該差異を解消させるシェーディング補正データを作成するシェーディング補正手段と、シェーディング補正手段によって作成されるシェーディング補正データを記憶する補正データ記憶手段と、読取素子が原稿からの画像を読取る際に、原稿の画像領域外で、同時に読取り可能なように配置される領域外白板とを含み、シェーディング補正手段は、補正データ記憶手段に記憶されているシェーディング補正データを用いて、画素間の信号レベルを補正することを特徴とする画像読取装置。」
である点で一致し、次の点で相違しているものと認められる。
ａ　本願補正発明は、「増幅利得およびオフセットがそれぞれ可変である」アンプ回路を有し、「読取素子が画素毎に読取る画像の信号をＡ／Ｄ変換した所定ビット数のデジタルデータで表す信号レベルのうち、読取素子の中央部の画素についての光源消灯時の信号レベルの平均値を、該ビット数のデジタルデータで表す最小値付近でかつ該最小値よりも所定の値だけ大きい第１の目標値とする該アンプ回路のオフセットの調整、および該読取素子の該中央部に含まれる中央部分の画素についての光源点灯時の信号レベルを、該所定ビット数のデジタルデータで表す最大値付近でかつ該最大値よりも所定の値だけ小さい第２の目標値とする該アンプ回路の増幅利得の調整を行った上で、」シェーディング補正データを作成するものであり、「原稿の読取りの前に、前記基準用白板に対し、前記第１の目標値でアンプ回路のオフセットを補正した後、前記第２の目標値でアンプ回路の増幅利得を補正しておき、原稿の画像の読取を領域外白板からの画像の読取りとともに行い、領域外白板からの画像に対応する画素の信号レベルが予め設定される目標と一致するようにアンプ回路の増幅利得を補正してから、読取素子で原稿の画像を読取る」ものであるのに対し、刊行物発明は、そのようなものでない点
　　
イ　相違点ａについての検討
　例えば刊行物２（上記２（２）イ（ア）（イ）参照）にあるように、ＣＣＤラインセンサ（読取素子）では、原稿読み取り信号において、チップ間のバラツキ、チップ内の画素間のバラツキ等、特性上のバラツキが発生するので、ゲイン調整回路を設けて、各チャンネルの白色信号の最大値を最大基準値に揃えると共に、オフセット調整回路を設けて、黒色信号の最小値を最小基準値に揃えるようにしているものであることは周知であり、やはり上記刊行物２（上記２（２）イ（ア）（イ）参照）にあるように、シェーディング補正においては、光源の配光特性や光源の経年変化によるバラツキ、反射鏡等の汚れ等に起因する光学系のバラツキ、イメージセンサ１ａ〜１ｅの各ビット間の感度のバラツキを補正するものであって、そのうち、ダークシェーディング補正回路１６は、ダークレベル（光源を消灯したときの暗時出力）に対する補正を行い、ホワイトシェーディング補正回路１５は、白色基準板の読み取り出力に対する補正を行い、原稿の明るい白で飽和しないように、ゲイン調整回路６によるゲイン調整が、安定した分解能が得られるようにするため、白色基準板を読み取った時の信号レベルを例えば２５６階調の「２００」にして、常にこの値に維持されるようにゲインを調整（本願発明の「領域外白板からの画像に対応する画素の信号レベルが予め設定される目標と一致するようにアンプ回路の増幅利得を補正」に対応）し、センサ感度のバラツキのあるチップにおいて最適なゲインを設定するようにし、また、光源を消灯した状態においてイメージセンサ１ａ〜１ｅから出力される信号レベル（暗時出力レベルすなわちダークレベル）の最低値を一定の値まで持ち上げて最低値をオフセット調整回路７で保証するものであるところ、読み取りデータをサンプリングし、各チップ毎に最大値を求め、この最大値が所定の出力、例えば２５６階調で「２００」になるようなゲインをゲイン調整回路６で設定し、読み取りデータをサンプリングし、各チップ毎に最小値を求め、この最小値が所定の出力、例えば２５６階調で「１０」になるようなオフセット値を設定するようにすることも適宜なしうることといえる。
　してみれば、上記周知技術を刊行物発明に適用して、「増幅利得およびオフセットがそれぞれ可変である」アンプ回路を有し、「読取素子が画素毎に読取る画像の信号をＡ／Ｄ変換した所定ビット数のデジタルデータで表す信号レベルのうち、読取素子の中央部の画素についての光源消灯時の信号レベルの平均値を、該ビット数のデジタルデータで表す最小値付近でかつ該最小値よりも所定の値だけ大きい第１の目標値とする該アンプ回路のオフセットの調整、および該読取素子の該中央部に含まれる中央部分の画素についての光源点灯時の信号レベルを、該所定ビット数のデジタルデータで表す最大値付近でかつ該最大値よりも所定の値だけ小さい第２の目標値とする該アンプ回路の増幅利得の調整を行った上で、」シェーディング補正データを作成し、「原稿の読取りの前に、前記基準用白板に対し、前記第１の目標値でアンプ回路のオフセットを補正した後、前記第２の目標値でアンプ回路の増幅利得を補正しておき、原稿の画像の読取を領域外白板からの画像の読取りとともに行い、領域外白板からの画像に対応する画素の信号レベルが予め設定される目標と一致するようにアンプ回路の増幅利得を補正してから、読取素子で原稿の画像を読取る」ものとすることは当業者にとって容易に推考できたものであり、また、上記相違点に基づく本願補正発明の効果に格別顕著なものがあるともいえない。
　したがって、本願補正発明は、刊行物１に記載された発明及び周知技術に基づいて、当業者が容易に発明をすることができたものであるから、特許法第２９条第２項の規定により特許出願の際独立して特許を受けることができないものである。
　
（４）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　平成１７年６月６日付けの手続補正は上記のとおり却下されたので、本願の請求項１に係る発明（以下、同項記載の発明を「本願発明」という）は、平成１６年１０月２２日付け手続補正により補正された明細書の特許請求の範囲の請求項１に記載された事項により特定される、以下のとおりのものである。
「静止した光学系に対して原稿を搬送しながら、画像を読取る画像読取装置において、
　光学系を介して、画像を複数の画素に分けて読取り、各画素を表す信号を順次導出する読取素子と、
　読取素子からの信号を増幅し、増幅利得およびオフセットがそれぞれ可変であるアンプ回路と、
　予め基準となる基準用白板について、読取素子が読取る画像についての信号レベルが所定値となるように、アンプ回路の増幅利得およびオフセットを調整し、画素間の信号レベルの差異に基づき、該差異を解消させるシェーディング補正データを作成するシェーディング補正手段と、
　シェーディング補正手段によって作成されるシェーディング補正データを記憶する補正データ記憶手段と、
　読取素子が原稿からの画像を読取る際に、原稿の画像領域外で、同時に読取り可能なように配置される領域外白板とを含み、
　シェーディング補正手段は、原稿の読取り時に、読取素子からの信号のうちで、領域外白板からの画像に対応する画素の信号レベルが予め設定される目標と一致するように補正する際に、光源を点灯しない暗黒の状態での読取素子からの画素の信号レベルが予め設定される第１の目標と一致するようにアンプ回路のオフセットを補正した後、光源を点灯して読取素子からの画素の信号レベルが予め設定される第２の目標と一致するようにアンプ回路の増幅利得を補正し、補正データ記憶手段に記憶されているシェーディング補正データを用いて、画素間の信号レベルを補正することを特徴とする画像読取装置。」
　
（１）刊行物
　原審拒絶理由に引用された刊行物、および、その記載事項は、前記「２．（２）」に記載したとおりである。
　
（２）対比・判断
　本願発明は、前記２．で検討した本願補正発明から限定事項である構成を省いたものである。
　そうすると、本願発明の特定事項を全て含み、さらに他の特定事項を付加したものに相当する本願補正発明が、前記「２．（３）」に記載したとおり、刊行物１に記載された発明及び周知技術に基づいて、当業者が容易に発明をすることができたものであるから、本願発明も、同様の理由により、刊行物１に記載された発明及び周知技術に基づいて、当業者が容易に発明をすることができたものである。
　
（３）むすび
　したがって、本願発明は、刊行物１に記載された発明及び周知技術に基いて当業者が容易に発明をすることができたものであるので、他の請求項に係る発明について検討するまでもなく、本願は、特許法第２９条第２項の規定により特許を受けることができない。
　よって、結論のとおり審決する。